(57)【要約】【課題】  プロセスカラーの色版と異なる色版があるときに、その色版に対する適切な処理を可能とする。【解決手段】  プロセスカラーと異なる色版のオブジェクトがあるときには、その色名Spot（ｎ）に対応するColor（ｎ）が特色か否かを確認する（ステップ１０８、１２０、１２２）。ここで、Color（ｎ）が特色であるときには、該当する特色のＬＵＴからＣＭＹＫ値の変換を行い、このＣＭＹＫ値を出力用領域に合成する（ステップ１２６）。また、Color（ｎ）がプロセスカラーであるときには、そのＣＭＹＫ値をＣＭＹＫ色補正用領域に保存し（ステップ１２４）し、ＣＭＹＫ色補正領域のＣＭＹＫ値に対して色補正を施した後に、ＣＭＹＫ出力用領域のＣＭＹＫ値に合成し（ステップ１２８、１３０）、プロセスカラーと異なる色版を含むときの色情報を生成する。【選択図】        図３
2005223695.tif 000002
【特許請求の範囲】
【請求項１】
画像処理端末から入力される画像データ又は描画命令に対する画像処理を行う画像処理方法であって、前記画像データ又は描画命令上のプロセスカラーと異なる色について色置換及び置換色が設定されているときに、前記画像データ又は描画命令上の該当する前記色の色情報を前記置換色の色情報に置き換えて、新たな色情報を生成することを特徴とする画像処理方法。
【請求項２】
画像処理端末から入力される画像データ又は描画命令に対する画像処理を行う画像処理方法であって、前記画像データ又は描画命令上にプロセスカラーと異なる色の色情報を含むときに、前記色の色情報を除いた新たな色情報を生成することを特徴とする画像処理方法。
【請求項３】
前記画像データ又は描画命令上のプロセスカラーないしプロセスカラーと異なる前記色について色置換及び置換色が設定されているときに、前記画像データ又は描画命令上の該当するプロセスカラー又はプロセスカラーと異なる前記色の色情報を、予め記憶している前記置換色の色情報に置き換えて、置き換えた色情報を合成することにより新たな色情報を生成することを特徴とする請求項１に記載の画像処理方法。
【請求項４】
前記置き換えた色情報を、前記画像データ又は描画命令上の他のプロセスカラー又はプロセスカラーと異なる前記色の色情報と合成して、新たな色情報を生成することを特徴とする請求項１又は請求項３に記載の画像処理方法。
【請求項５】
画像処理端末から入力される画像データ又は描画命令に対する画像処理を行う画像処理装置であって、
前記画像データ又は描画命令上でプロセスカラーと異なる色の色情報を抽出する抽出手段と、
前記抽出手段によって抽出した前記プロセスカラーと異なる前記色に対して、色置換及び置換色が指定されているときに、前記画像データ又は描画命令上の該当する前記色の色情報を前記置換色の色情報に置き換えて、新たな色情報を生成する色置換を行う色置換手段と、
前記置換手段によって生成された前記色情報に基づいて、前記画像データ又は前記描画命令の新たな色情報を生成する生成手段と、
を含むことを特徴とする画像処理装置。
【請求項６】
前記プロセスカラーと異なる前記色に対して描画が指定されていないときに、前記生成手段が、前記プロセスカラーと異なる前記色の色情報を除いた前記画像データ又は前記描画命令の新たな色情報を生成することを特徴とする請求項５に記載の画像処理装置。
【請求項７】
予め設定されている置換色の色情報を記憶する記憶手段を含み、前記置換手段が前記抽出手段によって抽出した前記プロセスカラーと異なる前記色の色情報と前記記憶手段に記憶している前記置換色の色情報に基づいて色置換を行うことを特徴とする請求項５に記載の画像処理装置。
【請求項８】
前記プロセスカラーの何れかの色に対して色置換及び置換色が設定されているときに、前記置換手段が前記色置換の設定されている前記プロセスカラーの色に対して色置換を行って新たな色情報を生成すると共に、
前記生成手段が新たに生成された色情報の合成を行うことを特徴とする請求項５から請求項７の何れか１項に記載の画像処理装置。
【請求項９】
前記画像処理端末に、前記画像データ又は描画命令上のプロセスカラーないし前記プロセスカラーと異なる前記色に対して、前記色置換を行う色及び前記記憶手段に色情報が記憶されている置換色を選択若しくは入力して設定する設定手段を含むことを特徴とする請求項５から請求項８の何れか１項に記載の画像処理装置。
【発明の詳細な説明】
【技術分野】
【０００１】
本発明は、多色印刷用の画像データに応じた画像を記録紙に形成する出力装置へ画像データを出力するときの画像処理方法及び画像処理装置に関する。詳細には、プロセスカラーと異なる特色を含む画像データ又は描画命令に対する画像処理方法及び画像処理装置に関する。
【背景技術】
【０００２】
印刷処理の分野におけるデジタル化として、ＤＴＰ（Desktop Publishing）化が浸透している。ＤＴＰは、パーソナルコンピュータやワークステーション等の処理装置上で、画像の作成、加工、編集等を行うことによりページレイアウトを作成し、このページレイアウトに基づいて印刷版を露光するためのフィルムの作成を行ったり（ＣＥＰＳ）、印刷版に直接書き込んで印刷用の刷版を作成する（ＣＴＰ：Computer to Plate）。
【０００３】
また、実際の刷版を用いた印刷に先立って校正等を行うときには、ＷＹＳＩＷＹＧ機能等を用いて、モニタに表示したページレイアウトを、ページプリンタ等の印刷出力装置によって印刷出力する。
【０００４】
一方、通常のカラー印刷では、シアン、マゼンタ、イエロー及びブラックの４色（プロセスカラー）を用いて行われるが、必要に応じてプロセスカラーと異なる色（以下、「特色」とする）のインクを使用して行われることがある。また、印刷コストを抑えるために、２色印刷が行われることがあり、このとき、プロセスカラーの中の１色と特色が用いられたり、２色を特色とすることにより、特殊効果を得るようにすることがある。
【０００５】
ところで、現状のＤＴＰ用のアプリケーション上では、特色と特色又は特色とプロセスカラーの掛け合わせを容易に指定することができないため、２色印刷用のデータは、プロセスカラーの２色を使用してフィルム出力するのが一般的で、この結果得られた２枚の刷版に、プロセスカラーと異なる色（特色）のインキを使用して印刷する。
【０００６】
一方、このような画像データに対する印刷シミュレーションでは、プロセスカラーでの出力しか得られないため、実際の印刷物がどのような仕上がりになるのかを明確に確認することが困難となっていた。
【０００７】
ここから、２色印刷で使用する予定の特色インクを使用して実際に刷版を用いてカラーチャートの印刷を行い、このカラーチャートを測定することにより特色用のプロファイル（ＣＭＹＫ−Ｌ*ａ*ｂ*のルックアップテーブル）を作成し、この特色用のプロファイルと、プリンタ用のプロファイル（Ｌ*ａ*ｂ*−Ｃ’Ｍ’Ｙ’Ｋ’のルックアップテーブル）を使用して、カラーマネージメント機能を用いたＣＭＹＫ−Ｃ’Ｍ’Ｙ’Ｋ’変換を実現することにより特色印刷のシミュレーションを行う方法が提案されている（例えば、特許文献１参照。）。
【０００８】
また、特願２００３−７１４８４号では、例えばＣ、Ｍ、Ｙ、Ｋの何れか２色を用いて作成されているドキュメントの各色を、所望のインクの色（特色）に置き換えてカラーカンプ出力する方法を提案している。
【特許文献１】特開２０００−６２２５３号公報
【発明の開示】
【発明が解決しようとする課題】
【０００９】
しかしながら、特色を用いた印刷シミュレーションは、プロセスカラーの版に対する特色の置き換えにしか対応していない。これに対して、特色を用いたオブジェクトを含むドキュメントが作成されることがあり、デザインや検討の過程で、特色のオブジェクトを別の特色に置換することができなかった。
【００１０】
本発明は上記事実に鑑みて成されたものであり、プロセスカラーの色版に加えて特色の色版を含む画像データや描画命令から、所望の印刷シミュレーションを行うことができる画像処理方法及び画像処理装置を提案することを目的とする。
【課題を解決するための手段】
【００１１】
上記課題を解決するための本発明の画像処理方法は、画像処理端末から入力される画像データ又は描画描画命令に対する画像処理を行う画像処理方法であって、前記画像データ又は描画命令上のプロセスカラーと異なる色について色置換及び置換色が設定されているときに、前記画像データ又は描画描画命令上の該当する前記色の色情報を前記置換色の色情報に置き換えて、新たな色情報を生成することを特徴とする。
【００１２】
この発明によれば、画像処理を行う画像データ又は描画命令に、Ｃ、Ｍ、Ｙ、Ｋの４色のプロセスカラーと異なる色のオブジェクトなどがあり、この色に対して色置換及び置換色が設定されているとき、置換色に置き換えた色情報を生成し、生成した色情報に基づいて新たな色情報を生成する。
【００１３】
すなわち、画像データ又は描画命令に、Ｃ、Ｍ、Ｙ、Ｋのプロセスカラーの色版と異なる色版があり、その色版に対して色置換及び置換色が指定されているときには、その色版を置換色に置き換えたときのＣＭＹＫ値を生成する。
【００１４】
この色情報と、プロセスカラーの各色に対する色情報に基づいて新たな色情報を生成することにより、プロセスカラーと異なる色のオブジェクトがあっても、そのオブジェクトを、指定された置換色で的確に描画することができる。
【００１５】
また、請求項２の画像処理方法は、画像処理端末から入力される画像データ又は描画命令に対する画像処理を行う画像処理方法であって、前記画像データ又は描画命令上にプロセスカラーと異なる色の色情報を含むときに、前記色の色情報を除いた新たな色情報を生成することを特徴とする。
【００１６】
この発明によれば、プロセスカラーと異なる色版があるときには、その色版に対する色情報を除去した新たな色情報を生成する。
【００１７】
これにより、プロセスカラーと異なる色版で形成されるオブジェクトが描画されてしまうことがないようにできる。
【００１８】
このような本発明の画像処理方法においては、前記画像データ又は描画命令上のプロセスカラーないしプロセスカラーと異なる前記色について色置換及び置換色が設定されているときに、前記画像データ又は描画命令上の該当するプロセスカラー又はプロセスカラーと異なる前記色の色情報を、予め記憶している前記置換色の色情報に置き換えて、置き換えた色情報を合成することにより新たな色情報を生成することができる。
【００１９】
また、本発明の画像処理方法においては、前記置き換えた色情報を、前記画像データ又は描画命令上の他のプロセスカラー又はプロセスカラーと異なる前記色の色情報と合成して、新たな色情報を生成することができる。
【００２０】
これにより、複数のプロセスカラーや、プロセスカラーと異なる予め設定されている特色を用いた２色刷りや３色刷りなどの多色刷りが可能となる。
【００２１】
このような本発明が適用される画像処理装置は、画像処理端末から入力される画像データ又は描画命令に対する画像処理を行う画像処理装置であって、前記画像データ又は描画命令上でプロセスカラーと異なる色の色情報を抽出する抽出手段と、前記抽出手段によって抽出した前記プロセスカラーと異なる前記色に対して、色置換及び置換色が指定されているときに、前記画像データ又は描画命令上の該当する前記色の色情報を前記置換色の色情報に置き換えて、新たな色情報を生成する色置換を行う色置換手段と、前記色置換手段によって生成された前記色情報に基づいて、前記画像データ又は前記描画命令に対する新たな色情報を生成する生成手段と、を含むことを特徴とする。
【００２２】
この発明によれば、画像データ又は描画命令に基づいた画像処理を行うときに、プロセスカラーと異なる色（色版）があり、この色版に対して色置換及び置換色が設定されているときには、この色（色版）に対する色情報を置換色の色情報に基づいて生成する。また、生成した色情報とプロセスカラーの各色に対する色情報に基づいて新たな色情報を合成する。
【００２３】
これにより、プロセスカラーと異なる色（色版）によって形成されるオブジェクトがあっても、そのオブジェクトを適切な色で描画可能とすることができる。
【００２４】
また、本発明の画像処理装置は、前記プロセスカラーと異なる前記色に対して描画が指定されていないときに、前記生成手段が、前記プロセスカラーと異なる前記色の色情報を除いた前記画像データ又は前記描画命令の新たな色情報を生成することを特徴とする。
【００２５】
この発明によれば、プロセスカラーと異なる色（色版）に対して色置換及び置換色が指定されていないときに、その色版の色情報を含まない色情報を生成する。
【００２６】
これにより、プロセスカラーと異なる色版によって形成されるオブジェクトが不用意に描画されてしまうのを確実に防止することができる。
【００２７】
このような本発明の画像処理装置は、予め設定されている置換色の色情報を記憶する記憶手段を含み、前記置換手段が前記抽出手段によって抽出した前記プロセスカラーと異なる前記色の色情報と前記記憶手段に記憶している前記置換色の色情報に基づいて色置換を行うことを特徴とする。
【００２８】
また、本発明の画像処理装置は、前記プロセスカラーの何れかの色に対して色置換及び置換色が設定されているときに、前記置換手段が前記色置換の設定されている前記プロセスカラーの色に対して色置換を行って新たな色情報を生成すると共に、前記生成手段が新たに生成された色情報の合成を行うことを特徴とする。
【００２９】
さらに、本発明の画像処理装置は、前記画像処理端末に、前記画像データ又は描画命令上のプロセスカラーないし前記プロセスカラーと異なる前記色に対して、前記色置換を行う色及び前記記憶手段に色情報が記憶されている置換色を選択若しくは入力して設定する設定手段を含むことを特徴とする。
【００３０】
この発明によれば、プロセスカラーと異なる置換色の色情報を記憶手段に記憶しており、色置換及び置換色の指定があるときに、記憶手段に記憶している色情報に基づいて新たな色情報を生成する。また、プロセスカラーの何れかの色に対して色置換及び置換色が指定されているときにも、置換色の色情報に基づいて色情報を生成し、これらの色情報を合成することにより、新たな色情報を生成することができる。
【００３１】
このような本発明においては、前記画像データ又は前記描画命令上のプロセスカラーに対する色補正を行う色補正手段を含み、前記生成手段が、前記色補正手段によって前記画像データ又は描画描画命令上の他のプロセスカラーに対して色補正を行った後に、前記置換手段によって置き換えて生成した色情報を合成することができる。
【００３２】
これにより、置換色の色情報に基づいて生成した色情報が補正されてしまうのを防止して、プロセスカラーの各色の色情報に対して適切な色補正を施した色情報を得ることができる。
【００３３】
また、本発明は、前記画像処理部に、置換色の色情報を格納する出力用領域と、前記画像データ又は描画命令上の前記他のプロセスカラーの色情報を格納する色補正用領域が設けられて、前記色補正手段によって前記色補正用領域に格納されている色情報に対して色補正を行って、前記出力用領域に格納している色情報と合成するように構成することができ、これにより、適切な色情報の生成を容易に行うことができる。
【００３４】
さらに、本発明においては、前記画像処理部でプロセスカラーごとのラスタデータを生成する時に、前記色置換が設定されたプロセスカラーのラスタデータと前記置換色の色情報に基づいて、ラスタデータを生成して、前記プロセスカラーの他の色の色情報に基づいたラスタデータと合成するように構成することも可能である。
【００３５】
これにより、ラスタデータの作成に先立って色置換及び色補正を行うことができ、例えば記録紙等に適切なカラー画像を形成することが可能となる。
【発明の効果】
【００３６】
以上説明したように本発明によれば、プロセスカラーの色版に加えて、プロセスカラーと異なる色版を含むときに、プロセスカラーの各色版の色情報を損ねてしまうことなく、プロセスカラーと異なる色版に対して適切な処理を施すことができる。
【００３７】
これにより、プロセスカラーと異なる色版があるときにも、適切な印刷シミュレーションが可能となるという優れた効果が得られる。
【００３８】
また、本発明では、プロセスカラーの各色版ないしプロセスカラーと異なる色版を用いた2色印刷シミュレーション、3色印刷シミュレーションなどの多色印刷シミュレーションを適切に行うことができる。
【発明を実施するための最良の形態】
【００３９】
以下、図面を参照しながら本発明の実施の形態を説明する。図１には、本実施の形態に適用したネットワーク１０の概略構成を示している。このネットワーク１０は、本発明を適用した画像処理装置として設けられているプリントサーバ１２と、画像処理端末として設けられている複数のクライアント端末１４とが、通信回線１６を介してネットワーク接続されている。
【００４０】
また、プリントサーバ１２には、印刷出力装置としてプリンタ１８が接続されており、プリントサーバ１２は、クライアント端末１４から出力される印刷ジョブを受信すると、この印刷ジョブに応じた印刷出力が可能となっている。
【００４１】
なお、以下では、画像処理装置をプリントサーバとして用いて説明するが、本発明の画像処理装置は、これに限らずクライアント端末１４とネットワーク接続されたファイルサーバ等の各種の中間サーバに設けて画像処理を行なうものであっても良い。また、プリンタ１８に限らず、印刷用の刷版を作成するために画像データに基づいて感光性平版印刷版等を直接露光するプレートセッターや、感光性平版印刷版への画像焼付（露光）に用いる原稿フィルムを露光する露光装置等を接続することもできる。
【００４２】
プリントサーバ１２及びクライアント端末１４には、ネットワークインターフェイス（ネットワークＩ／Ｆ）２０、２２が設けられており、このネットワークＩ／Ｆ２０、２２を介してそれぞれが通信回線１６に接続している。また、プリントサーバ１２は、双方向インターフェイス（双方向Ｉ／Ｆ）２４を備えており、この双方向Ｉ／Ｆ２４を介してプリンタ１８に接続している。
【００４３】
なお、プリントサーバ１２に接続するプリンタ１８は複数でも良く、使用する双方向Ｉ／Ｆ２４も複数ないし複数種類でも良い。また、複数のクライアント端末１４とプリントサーバ１２のネットワーク接続は、任意のネットワークプロトコルによる接続を適用することができる。
【００４４】
このようなプリントサーバ１２は、パーソナルコンピュータ（ＰＣ）に所定の機能を備えたＰＣＩボードを追加するなどして構成することができる。また、プリントサーバ１２は、キーボード、マウス等の入力デバイスやＣＲＴディスプレイやＬＣＤディスプレイ等の表示デバイスを備えており、表示デバイスに表示した画像に対する処理及び表示画像を印刷出力するＷＹＳＩＷＹＧ機能を備えたものであっても良い。
【００４５】
プリントサーバ１２には、プリントサーバ１２自体と共にプリンタ１８を制御するプリントコントローラ２６、画像処理部２８及び各種のデータを記憶するＨＤＤ３０が設けられている。画像処理部２８は、クライアント端末１４から印刷ジョブとして入力される画像データや描画命令などのジョブデータに基づいてラスタデータを生成するＲＩＰ処理を行なう。
【００４６】
なお、プリントサーバ１２では、入力された印刷ジョブを処理待ちキューに格納すると共に、処理待ちキューに格納している印刷ジョブを順に読み出して、画像処理（ＲＩＰ処理）を実行し、画像処理されてプリンタ１８へ出力されるデータ（ラスタデータ）を印刷待ちキューに格納して、この印刷待ちキューからプリンタ１８へ順に出力する。また、プリントサーバ１２では、印刷処理が指定されていないか印刷処理の実行ができないジョブを保持キューに格納して保持する一般的構成となっている。このようなプリントサーバ１２は、従来公知の種々の構成を用いることができ、本実施の形態では、詳細な説明を省略する。
【００４７】
一方、クライアント端末１４は、ＤＴＰアプリケーション（以下、アプリケーション３２とする）を備えており、このアプリケーション３２を用いて、画像や文書の作成、加工、編集等の画像処理等を行ってページレイアウトなどの刷版印刷用の画像データ又は描画命令（以下、画像データとする）の作成が可能となっている。
【００４８】
また、クライアント端末１４は、プリンタドライバ（ドライバソフト）３４が設けられており、このプリンタドライバ３４を介して、アプリケーション３２等によって作成したページレイアウトなどの画像データと各種の処理指示を含むジョブ（印刷ジョブ）をプリントサーバ１２へ送信可能となっている。このとき、プリンタドライバ３４によって各種の印刷機能の設定が可能となっている。
【００４９】
プリントサーバ１２には、印刷機能設定部３６が設けられており、印刷ジョブ等のジョブを受信すると、印刷ジョブで指定されている各種の印刷機能の設定を行う。なお、プリントサーバ１２では、従来公知の印刷機能の設定が可能となっており、印刷機能設定部３６では、印刷ジョブで指定されている印刷機能を判断し、それぞれの印刷機能をプリントコントローラ２６及び画像処理部２８で実行されるように設定するが、本実施の形態では、詳細な説明を省略する。
【００５０】
ところで、プリントサーバ１２には、色置換処理部３８が設けられている。この色置換処理部３８では、色指定されている画像や文字等の描画オブジェクトに対して、指定色の置き換えが設定されているときに、設定に基づいて色置換を行う。
【００５１】
また、プリントサーバ１２には、ＨＤＤ３０が設けられており、このＨＤＤ３０を記憶手段として用い、シアン、マゼンタ、イエロー、ブラックのプロセスカラーと別に、予め設定されている特色ごとのＣＭＹＫ値がテーブル化されて記憶されている。
【００５２】
色置換処理部３８では、プロセスカラーの何れかが、特色への色置換が指定されていると、ＨＤＤ３０に記憶されているＣＭＹＫ値をルックアップテーブル（ＬＵＴ）として参照して、ＣＭＹＫ値で設定して色情報を更新するようにしている。すなわち、色置換が指定された色を除いたＣＭＹＫ値に、ＨＤＤ３０に記憶している特色のＣＭＹＫ値を合成することにより、新たなＣＭＹＫ値の色情報を生成する。
【００５３】
これにより、例えばプロセスカラーのうちの何れか２色を用いて２色印刷印刷用の画像データや文書データを作成したときに、さらに、そのうちの１色又は２色を、プロセスカラーとは異なる特色を用いて印刷出力することができるようにしている。
【００５４】
すなわち、刷版を用いて印刷出力するときに、プロセスカラーと異なるインクを用いた印刷処理を行ったときのシミュレーションが可能となるようにしている。
【００５５】
画像処理部２８には、所定のメモリ４０上にＣＭＹＫ出力用領域４０Ａと、ＣＭＹＫ色補正用領域４０Ｂが設けられている。画像処理部２８では、印刷ジョブ上の画像（画像オブジェクト）に対する画像処理を行うとき、特色のＣＭＹＫ値をＣＭＹＫ出力用領域４０Ａに格納する。また、該当する画像オブジェクト上で使用されるプロセスカラーのＣＭＹＫ値は、ＣＭＹＫ色補正用領域４０Ｂに格納し、ＣＭＹＫ色補正領域４０Ｂに格納しているＣＭＹＫ値に対して、色補正を行った後に、補正したＣＭＹＫ値をＣＭＹＫ出力用領域４０Ａに格納しているＣＭＹＫ値に合成することにより、該当する描画オブジェクトに対する新たな色情報を生成して出力するようにしている。
【００５６】
これにより、画像処理部２８では、特色を用いてＮ色印刷シミュレーションを行うときにも、色置換を施していないＣＭＹＫ値に対する色補正が可能となるようにしている。
【００５７】
クライアント端末１４に設けているプリンタドライバ３４には、プリントサーバ１２の機能として備えているＮ色印刷シミュレーションの設定が可能となっている。
【００５８】
一方、プリントサーバ１２には、特色版抽出部４２が設けられている。この特色版抽出部４２では、印刷ジョブに含まれる画像オブジェクトで、Ｃ、Ｍ、Ｙ、Ｋのプロセスカラーと異なる色である特色での描画が指定されている画像オブジェクトを抽出する。
【００５９】
すなわち、クライアント端末１４に設けているアプリケーション３２では、通常、Ｃ、Ｍ、Ｙ、Ｋのプロセスカラーの色版によって画像オブジェクトを形成するが、プロセスカラーと別の色を指定した画像オブジェクトを加えることがある。
【００６０】
特色版抽出部４２では、Ｃ版、Ｍ版、Ｙ版、Ｋ版と異なる色版（以下、特色版とする）に指定されている画像オブジェクトを抽出する。
【００６１】
また、クライアント端末１４に設けているプリンタドライバ３４では、Ｃ版、Ｍ版、Ｙ版、Ｋ版の何れか１色版以上を用いたＮ色印刷シミュレーションに加えて、特色版があるときには、その特色版を描画するか否か及び、特色版を描画するときには、その色の指定が可能となっている。すなわち、特色版に対する色置換の設定が可能となっている。
【００６２】
図２には、プリンタドライバ３４によってクライアント端末１４の図示しないモニタにユーザインターフェイスの一例として表示される設定ダイアログ４４を示している。この設定ダイアログ４４では、Ｃ、Ｍ、Ｙ、Ｋのプロセスカラーの色版を用いたＮ色印刷シミュレーションの設定が可能となっている。
【００６３】
すなわち、プロセスカラーの色版を用いることにより、１色印刷シミュレーション（Ｎ＝１）〜４色印刷シミュレーション（Ｎ＝４）の設定が可能となっている。
【００６４】
プロセスカラーの色版を用いたＮ色印刷シミュレーションを行うときには、シアン（Ｃ）、マゼンタ（Ｍ）、イエロー（Ｙ）及びブラック（Ｂ）のプロセスカラーのそれぞれに対して、印刷出力するか否か及び印刷出力するか否かの設定が可能となっており、このときには、それぞれのプロセスカラーに対して設けられているチェックボックス４６Ｃ、４６Ｍ、４６Ｙ、４６Ｋをマークするか否かによって、各プロセスカラーの色版を出力するか否かの設定が可能となっている。
【００６５】
また、設定ダイアログ４４では、プロセスカラーのそれぞれに対してコンボボックス４８Ｃ、４８Ｍ、４８Ｙ、４８Ｋ（以下、総称する時には、コンボボックス４８とする）が設けられており、例えばプルダウンメニューによって表示される色の何れかを選択することにより、該当する色での描画を設定することができるようにしている。
【００６６】
このとき、コンボボックス４８には、プロセスカラーと共に、プリントサーバ１２で使用可能な特色が表示されるようになっている。すなわち、プリントサーバ１２のＨＤＤ３０にＬＵＴが記憶されている特色がプルダウンメニューに表示されるようになっている。
【００６７】
これにより、特色を選択することによる、その色版に対する色置換の設定と共に置換色の設定がなされる。
【００６８】
ここで、例えば、チェックボックス４６Ｃ、４６Ｍをマークすると共に、コンボボックス４８Ｃに特色１を入力することにより、Ｃ版を特色１に置換し、Ｍ版をそのままマゼンタで印刷する２色印刷シミュレーションを設定することができる。
【００６９】
なお、チェックボックス４６Ｃ、４６Ｍ、４６Ｙ、４６Ｋをマークし、コンボボックス４８Ｃにシアンを設定し、コンボボックス４８Ｍ、４８Ｙ、４８Ｋに、マゼンタ、イエロー、ブラックをそれぞれ入力することにより、通常の印刷処理が可能となる。
【００７０】
また、コンボボックス４８で指定する色（置換色、変換色）としては、特色名だけではなく、ＣＭＹＫ値を意味する文字列を入力できるようにしても良い。例えば、「＝Ｃ１０Ｍ２０Ｙ３０Ｋ４０」とした形式などで受けつけ、この場合には、シアン１０％、マゼンタ２０％、イエロー３０％、ブラック４０％の色に置換する。
【００７１】
一方、この設定ダイアログ４４では、Ｃ、Ｍ、Ｙ、Ｋの各色版とは異なる特色版に対する設定が可能となっている。なお、図２に示す設定ダイアログ４４では、一例として、特色版としてスポットカラーＡ、スポットカラーＢの２色分の適用例を示しているが、１色分であって３色分以上であっても良い。
【００７２】
ここで、特色版を描画するときには、チェックボックス５０Ａないしチェックボックス５０Ｂをマークする。このときに、コンボボックス５２には、色版名を入力する。なお、この色版名は、自動入力されるものであっても良い。
【００７３】
すなわち、印刷ジョブに特色版の色版名の設定があるときには、その色版名を抽出して、１色分であるときには、スポットカラーＡに対するコンボボックス５２に表示し、２色分であるときには、スポットカラーＡ、Ｂのそれぞれに対するコンボボックス５２に別々に表示するようにしても良く、好ましい。
【００７４】
また、設定ダイアログ４４には、スポットカラーＡ、Ｂのそれぞれに対してコンボボックス５４Ａ、５４Ｂが設けられており、例えばプルダウンメニューによって印刷色（描画色）の入力が可能となっている。なお、図２では、一例として色版名が「特色Ａ」の１色を、印刷色（描画色）として「特色α」を入力した例を示している。
【００７５】
これにより、プロセスカラーの各色版に特色版を含めたＮ色印刷シミュレーションの設定が可能となっている。このときに、特色版が１色分であるときには、Ｎが１〜５となる。
【００７６】
なお、このようなユーザインターフェイスは、クライアント端末１４のみならず、プリントサーバ１２の図示しないモニタ上に表示して、プリントサーバ１２上で指定するものであっても良い。このときには、クライアント端末１４から送信された印刷ジョブを選択してユーザーインターフェイスを表示して、そのユーザーインターフェイス上で設定できるようにすればよい。
【００７７】
ここで、このように構成されているプリントサーバ１２およびクライアント端末１４によって、特色版を含む印刷ジョブに対するＮ色印刷シミュレーションを行うときの処理の概略を説明する。
【００７８】
プリントサーバ１２では、プリンタ１８へ出力するためのコンポジット出力の処理と、印刷用の刷版を作成するための分版出力の合成処理が可能となっており、まず、コンポジット出力の処理を説明する。
【００７９】
プリントサーバ１２などの画像処理装置では、描画オブジェクトのＣＭＹＫ値を新たなＣＭＹＫ値に変換するカラーマネージメントシステム（ＣＭＳ）を備えた構成が一般的となっており、コンポジット出力の処理を行うときには、このＣＭＳを使用することができる。ここから、一例として、プリントサーバ１２に備えられているカラーマネージメントシステムを用いた色置換を説明する。
【００８０】
ネットワーク１０では、クライアント端末１４で、アプリケーション３０を用いて作成、加工、編集等の処理が行われた画像データないし描画命令が印刷ジョブとしてプリントサーバ１２へ出力される。
【００８１】
このとき、クライアント端末１４では、プリンタドライバ３４によってＮ色印刷シミュレーションを指定することができ、Ｎ色印刷シミュレーションを行うときには、置換色の設定を併せて行うことができる。また、プロセスカラーと異なる色の特色版を含むときには、その特色版に対する処理を併せて設定することができる。
【００８２】
一方、プリントサーバ１２では、印刷ジョブを受信すると、印刷機能設定部３６で、印刷機能の読み込み及び設定を行う。また、画像処理部２８では、印刷ジョブの画像データ又は描画命令からラスタデータを作成するＲＩＰ処理を行う。
【００８３】
画像処理部２８で生成されたラスタデータは、所定のタイミングでプリンタ１８へ出力され、プリンタ１８で印刷ジョブに基づいた印刷出力が行われる。
【００８４】
ところで、プリントサーバ１２では、Ｎ色印刷シミュレーションが指定されることにより、Ｃ、Ｍ、Ｙ、Ｋのプロセスカラーのそれぞれを指定されている色への色置換を行うと共に、特色版に対する処理の設定（指定）があるときには、その特色版に対する処理を併せて行う。
【００８５】
図３には、このときの色置換の手順の一例を示している。なお、ここでは、説明を簡略化するために、描画オブジェクトの画素単位での色置換を行うようにし、ＣＭＹＫ出力用領域４０Ａ及びＣＭＹＫ色補正用領域４０Ｂには、画素単位でＣＭＹＫ値が格納されるものとする。
【００８６】
このフローチャートは、Ｎ色印刷が指定されていると実行される。なお、Ｎは、Ｃ、Ｍ、Ｙ、Ｋの各色版に、特色版の数を加えたものとし、Ｃ、Ｍ、Ｙ、Ｋ版が２版で、特色版が１版であるときには、Ｎ=３となる。
【００８７】
このフローチャートでは、最初のステップ１００で、ＣＭＹＫ色補正用領域４０Ｂを初期化し、ステップ１０２で、ＣＭＹＫ出力用領域４０Ａを初期化すると共に、ステップ１０４では、色変数ｉを最初の色にセットする（ｉ＝０）。
【００８８】
なお、ｉは、0からＮまでの変数であり、入力（ｉ）は入力ＣＭＹＫ値、色名（ｉ）はＣ、Ｍ、Ｙ、Ｋ（プロセスカラー）版の置換色名、ＣＭＴＫ色補正用領域（ｉ）はＣ、Ｍ、Ｙ、Ｋの各色に対して設定しているＣＭＹＫ色補正用領域４０Ｂ、また、Ｓｐｏｔ（ｎ）は特色版の色版名であり、Ｃｏｌｏｒ（ｎ）は置き換える色名である。また、ｎは特色版の版数を示すが、以下の説明では、特色版の版数を１版として説明する。
【００８９】
このようにして初期設定を終了すると、ステップ１０６では、色の置換設定を読み込み、最初に処理する色名（ｉ）を設定する。
【００９０】
この後に、ステップ１０８では、先ず、特色版のオブジェクトであるかを確認する。ここで、特色版ではなくプロセスカラー版のオブジェクトであるときには、ステップ１０８で否定判定してステップ１１０へ移行し、色名（ｉ）が特色であるか否かを確認する。
【００９１】
このときに、置換色が特色でなくプロセスカラー（ＣＭＹＫの何れか）であるときには、ステップ１１０で否定判定して、ステップ１１２へ移行し、入力（ｉ）（ＣＭＹＫ値）をＣＭＹＫ色補正用領域４０ＢのＣＭＹＫ色補正領域（ｉ）に保存する。
【００９２】
また、色名（ｉ）が特色であるときには、ステップ１１０で肯定判定してステップ１１４へ移行し、色名（ｉ）に基づいてＨＤＤ３０に記憶しているＬＵＴから指定されている特色のＣＭＹＫ値を読出し、入力（ｉ）をＣＭＹＫ値に変換し、このＣＭＹＫ値をＣＭＹＫ出力用領域４０Ａに合成する。
【００９３】
この後に、ステップ１１６では、ｉをインクリメント（ｉ＝ｉ＋１）し、次のステップ１１８では、全ての色に対する置換色の変換が終了したか否か、すなわち、色変数ｉがＮ以下であるかを確認する。
【００９４】
ここで、ｉ＜Ｎであれば、ステップ１１８で肯定判定して、ステップ１０８に戻り、次の色に対する色置換を開始する。
【００９５】
一方、色名（ｉ）のオブジェクトが特色版のオブジェクトであるときには、ステップ１０８で肯定判定してステップ１２０へ移行する。すなわち、色名（ｉ）がＳｐｏｔ（ｎ）であるときには、ステップ１２０へ移行して、Ｓｐｏｔ（ｎ）に対する色の設定（置換色）を読み出し、その色をＣｏｌｏｒ（ｎ）に設定する。
【００９６】
この後、ステップ１２２では、Ｃｏｌｏｒ（ｎ）が特色であるか否かを確認し、特色でなくプロセスカラーの何れかであるときには、ステップ１２２で否定判定してステップ１２４へ移行する。
【００９７】
このステップ１２４では、入力（ｉ）と色指定に基づいたＣＭＹＫ値に変換し、該当する色のＣＭＹＫ色補正領域４０Ｂに保存する。
【００９８】
これに対して、Ｃｏｌｏｒ（ｎ）が特色であるときには、ステップ１２２で肯定判定してステップ１２６へ移行する。
【００９９】
このステップ１２６では、入力（ｉ）を該当する特色のＬＵＴに基づいてＣＭＹＫ値に変換し、このＣＭＹＫ値をＣＭＹＫ出力用領域４０ＡのＣＭＹＫ値と入れ替える。
【０１００】
このようにして、Ｎ色のすべてに対して置換色への変換が終了してステップ１１８で否定判定されると、ステップ１２８へ移行して、先ず、ＣＭＹＫ色補正用領域４０Ｂに格納しているＣＭＹＫ値に対して所定の色補正を施す。なお、この色補正は、従来公知の手法を適用でき、詳細な説明を省略する。
【０１０１】
次に、ステップ１３０へ移行し、色補正を施したＣＭＹＫ値をＣＭＹＫ出力用領域３８Ａに格納しているＣＭＹＫ値と合成する。
【０１０２】
ここで、具体例をあげて説明すると、特色版が特色Ａの１版とシアン（Ｃ版）及びマゼンタ（Ｍ版）を用いた文書において、特色版（特色Ａ）を「特色α」、シアン版（Ｃ）を「特色１」、マゼンタ版（Ｍ）を「特色２」に置換するとき（図２参照）には、Ｓｐｏｔ（ｎ）に「特色Ａ」、Ｃｏｌｏｒ（ｎ）に「特色α」が設定される。また、色名（ｉ）には「特色１」、「特色２」が設定される。例えば、シアン版に対する特色１が色名（０）、マゼンタ版に対する特色２が色名（１）となる。
【０１０３】
これにより、特色αの特色版、Ｃ版及びＭ版に対して「特色α」、「特色１」及び「特色２」への色置換が行われることになる。
【０１０４】
特色１に対しては、この特色１のＬＵＴとシアン版の入力濃度からＣＭＹＫ値を算出し、ＣＭＹＫ出力用領域４０Ａに保存しているＣＭＹＫ値に保存し、特色２に対しては、この特色２のＬＵＴとマゼンタ版の入力濃度からＣＭＹＫ値を算出し、ＣＭＹＫ出力用領域４０Ａに保存しているＣＭＹＫ値に合成（足し合わせ）する。
【０１０５】
また、特色αに対しては、特色αのＬＵＴと特色Ａ版の入力濃度からＣＭＹＫ値を算出し、ＣＭＹＫ出力用領域４０Ａに保存しているＣＭＹＫ値に合成する。
【０１０６】
このときに、イエロー（Ｙ版）及びブラック（Ｋ版）に対しては、出力設定が行われていないので、実質的な処理は行われない。また、ＣＭＹＫ色補正用領域４０Ｂには、変更されていないので、「０」であるが、地色が白でない場合などがあるために、ＣＭＹＫ色補正用領域４０Ｂに保存されているＣＭＹＫ値に対して色補正を施し、ＣＭＹＫ出力用領域４０Ａに格納しているＣＭＹＫ値へ合成する。
【０１０７】
このようにして、置換処理を行うことにより、プロセスカラーの色版に対して、適切な色置換を施すことができると共に、プロセスカラーの色版に、プロセスカラーと異なる色版（特色版）を含む文書などの印刷ジョブに対しても、特色版に応じたオブジェクトを適切に描画可能とすることができる。
【０１０８】
また、特色版の描画を止めるように設定されているときには、特色版に対する処理が行われないので、画像処理結果に特色版のオブジェクトが現れてしまうことがない。
【０１０９】
これにより、例えば、問題集を作成するときに、プロセスカラーを用いて設問等の文書を作成し、回答欄にプロセスカラーと異なる色版（特色）となるように答えを記述した文書を作成する。
【０１１０】
この後に、特色版が出力されないように文書を印刷出力することにより、単色印刷、２色印刷やフルカラー印刷を施した生徒用の問題集が得られ、特色版の印刷出力を指定することにより、問題集に回答を入れた教師用の回答集が得られる。
【０１１１】
一方、特色に指定していないＣＭＹＫの各版に基づいたＣＭＹＫ値や、ＣＭＹＫと異なる色版を出力するときのＣＭＹＫ値に対しては、従来公知の色補正を施すことができるので、特色に影響を与えてしまうことなく適正な色補正が可能となる。
【０１１２】
さらに、色置換は、クライアント端末１４上で行うことがないので、クライアント端末１４でのデータ管理が極めて簡単となる。
【０１１３】
また、メモリ４０上に、複数画素分のＣＭＹＫ出力用領域４０Ａ及びＣＭＹＫ色補正用領域４０Ｂを確保することにより、１画素ごとの処理でなく、描画オブジェクト上でまとまった領域内での一括した色置換処理が可能となる。
【０１１４】
一方、特色１、特色２、特色αなどの特色名からＣＭＹＫ値を求めるときには、例えば、表１に示す如き、各特色の１００％濃度のＬ*ａ*ｂ*値を、ＨＤＤ３０に記憶して、このＬ*ａ*Ｂ*値を用いてＣＭＹＫ値変換を行うようにしても良い。
【０１１５】
【表１】
2005223695.tif 000003
【０１１６】
図４には、図３のフローチャートのステップ１１４やステップ１２６で実行されるＣＭＹＫ値変換を、例えば表１に示すＬＵＴを用いて実行するときの概略を示している。
【０１１７】
このフローチャートでは、最初のステップ１４０で、特色１、特色２、特色αなどの指定されている特色の１００％濃度のＬ*ａ*ｂ*値をＨＤＤ３０に記憶しているＬＵＴから読み込み、次のステップ１４２では、該当する画素の濃度値と濃度補正カーブから補正濃度を算出する。
【０１１８】
この後に、ステップ１４４では、補正濃度値と特色のＬ*ａ*ｂ*値から出力すべきＬ*ａ*ｂ*値を算出し、ステップ１４６では、出力プリンタ用（例えばプリンタ１８用）プロファイルを使用して、ＣＭＹＫ値に変換して、ＣＭＹＫ出力用領域４０Ａに格納ないし合成を行う。
【０１１９】
また、特色（特色１、特色２、特色αなど）のＣＭＹＫ値の変換は、例えば、表２に示すごとき、特色ごとに、０〜２５５までの濃度段階ごとにＣＭＹＫ値を算出しておいて、このＣＭＹＫ値を、該当する画素の濃度に合わせてＨＤＤ３０から読み出すようにしても良い。
【０１２０】
【表２】
2005223695.tif 000004
【０１２１】
このように、コンポジット出力を行うときには、ラスタライズ中にＣＭＳを実行させることにより、描画オブジェクトごとにＣＭＹＫ値の置き換え（色置換）を実行することができる。また、コンポジット出力の場合は、ラスタライズされたラスタデータに対して、ＣＭＳを実行することにより色置換を行うようにしても良い。
【０１２２】
次に、分版出力について説明する。分版出力を行うときには、画像データ又は描画命令が、シアン版、マゼンタ版、イエロー版、ブラック版、特色Ａ版などに分解されて出力されるのでラスタライズ中にＣＭＳを実行させることができない。ここから、ラスタライズによって生成されたラスタデータに対してＣＭＳを実行させる。
【０１２３】
また、分版出力するときには、どの色版の順序で出力されるかは、アプリケーションによって異なる。このために、例えば、ポストスクリプト（PostScript）の記述から色名を判断する。
【０１２４】
例えば、図５に示すように、ポストスクリプトの記述には、コメント欄に、「％％PlateColor：Cyan」や「％％PlateColor：特色Ａ」などのように、処理中の版の色を示す記述があり、この記述を抽出することにより、処理中の色版の判定を行うことができる。
【０１２５】
なお、分版出力を行うときには、例えば１ページ目は特色１に、２ページ目を特色２に、３ページ目を特色αに置き換えるように、クライアント端末１４上などで、ユーザーが設定するようにしてもよい。
【０１２６】
一方、ラスタデータを使用する方法では、描画命令からラスタデータに変換された後に、色変換処理を行う。すなわち、ラスタデータごとに処理を行うことは、色版ごとに処理を行うことになる。
【０１２７】
図６には、ラスタデータを用いた色変換（色置換）の処理の概略、すなわち、色置換を施した分版出力を合成するときの処理の概略を示している。分版出力に対しては、ラスタデータを用いて色置換を施すので、以下での説明は、コンポジット出力の処理を行うときにも適用することができる。
【０１２８】
なお、図６を用いた説明では、ラスター（ｉ）（ｉ=０〜３）をＣＭＹＫのラスタへのアドレス、色名（ｉ）をＣＭＹＫの各色版の変換色（置換色）、ＣＭＹＫ出力用領域（ｉ）を出力用のＣＭＹＫのラスタを格納するアドレスとし、また、特色版の版数をＮとし特色版（ｊ）を色名とし、その変換色（置換色）をＣｏｌｏｒ（ｊ）としている。
【０１２９】
このフローチャートは、ラスタライズが終了すると実行され、最初のステップ１５０では、ＣＭＹＫ出力用領域４０Ａを初期化し、また、ステップ１５２では、変数としているｉ、ｊを初期化（ｉ=０、ｊ=０）する。
【０１３０】
この後、ステップ１５４では、置き換え設定を参照して、処理する色名（ｉ）を設定する。なお、分版出力時には、ＣＭＹＫ色補正用領域４０Ｂを使用しないため、この領域をＣＭＹＫ出力用領域４０Ａに割り当てることができる。
【０１３１】
このようにして初期設定を終了すると、ステップ１５６では、色名（ｉ）が特色か否かを確認し、特色であるときには、ステップ１５６で肯定判定してステップ１５８へ移行し、ＨＤＤ３０に記憶しているＬＵＴから指定されている特色のＣＭＹＫ値を読出し、ラスタ（ｉ）の画素値からＣＭＹＫ値の変換を行い、変換したＣＭＹＫ値をＣＭＹＫ出力用領域（ｉ）に格納（合成）する。すなわち、指定されている特色のＣＭＹＫ値を、該当する画素の濃度等に応じて変換する。
【０１３２】
この後に、ステップ１６０では、色置換を行ったラスタ（ｉ）を初期化し、ステップ１６２では、ｉをインクリメント（ｉ=ｉ＋１）し、ステップ１６４では、ｉの値からプロセスカラーの４色全ての色版に対する処理を終了したか否かを確認し、終了していないとき（ｉ＜４）にはステップ１６４で肯定判定してステップ１５６へ移行し、次の色（色版）に対する処理を行う。
【０１３３】
なお、出力が指定されていない色版や特色に変換が指定されていない色版に対しては、ステップ１５６で否定判定されてステップ１６２へ移行する。
【０１３４】
このようにして、プロセスカラーの色版のラスタデータに対する処理を終了したときには、ステップ１６４で否定判定され、ステップ１６６へ移行することより、特色版に対する処理を行う。
【０１３５】
特色版のラスタデータに対する処理は、先ず、ステップ１６６で特色版（ｊ）に対して設定されているＣｏｌｏｒ（ｊ）を読み出し、Ｃｏｌｏｒ（ｊ）の色名からＣＭＹＫ値への変換を行い、変換したＣＭＹＫ値を、Ｃ、Ｍ、Ｙ、Ｋごとに設定されているＣＭＹＫ出力用領域（０）〜（３）に合成する（ステップ１６８）。
【０１３６】
この後に、ステップ１７０では、ｊをインクリメントし（ｊ=ｊ+１）、その値から特色版の全てに対する処理を終了したか否かを確認する。なお、特色版の出力が指定されていないときには、ステップ１６６〜１７０の処理は省略される。
また、特色版に対する処理は、ｊ=ｎとなって、ステップ１７０で否定判定されることにより終了する。
【０１３７】
このようにして、プロセスカラーの色版と特色版のラスタデータに対する処理が終了すると、ステップ１７２へ移行する。このステップ１７２では、ラスタ（０）〜（３）のＣＭＹＫ値に対して、色補正を施す。すなわち、ラスタ（０）〜（３）に残っているプロセスカラーに対して色補正を施す。
【０１３８】
この後に、ステップ１７４では、ラスタ（０）〜（３）をＣＭＹＫ出力用領域（０）〜（３）に合成して、Ｃ、Ｍ、Ｙ、Ｋの各色のラスタデータを生成する。
【０１３９】
すなわち、分版出力を行うときに、プリントサーバ１２では、画像データ又は描画命令を画像処理部２８でラスタライズして、Ｃ（シアン）、Ｍ（マゼンタ）、Ｙ（イエロー）、Ｋ（ブラック）の各色（プロセスカラー）のラスタデータを得る。このときに、プロセスカラーと異なる色版があるときには、その色版のラスターデータが得られる。
【０１４０】
色変換（色置換）を行うときには、該当する色版のラスタデータに対して、特色などの変換色のＣＭＹＫ値へ変換して、変換したラスタデータを合成して、分版出力用の各色のラスタデータが出力用領域に形成する。
【０１４１】
例えば、図７に示すように、カラー画像データをラスタライズすることにより、Ｃ版、Ｍ版、Ｙ版、Ｋ版が生成され、また、カラー画像データにプロセスカラーと異なる色版（特色Ａ）があるときには、この特色Ａの色版のラスタデータが生成される。
【０１４２】
ここで、Ｃ版、Ｍ版及び特色Ａ版の出力が指定され、かつ、Ｃ版を特色１に置換し、Ｍ版はそのまま残し、特色Ａ版を特色αに置換するように設定されているときには、Ｃ版を特色１によってＣＭＹＫ値に変換し、Ｃ、Ｍ、Ｙ、Ｋの各色の出力用領域に格納する。
【０１４３】
また、通常は、Ｃ、Ｍ、Ｙ、Ｋの各色に対して色補正を施すが、このときには、Ｃ版、Ｙ版及びＫ版のそれぞれのデータを「０」にして、ＣＭＹＫ色補正を施し、補正後のＣＭＹＫ値を、各色の出力領域に合成する。
【０１４４】
さらに、特色Ａ版のラスタデータに対しては、変換色である特色αに基づいてＣＭＹＫ値に変換して出力用領域に合成する。
【０１４５】
このようにしてＣ、Ｍ、Ｙ、Ｋの各色のラスタデータを生成することにより、特色への色置換が設定されていないプロセスカラーに対しては、従来公知の色補正を施すことができるので、特色に影響を与えてしまうことなく適正な色補正が可能となる。
【０１４６】
また、カラー画像データにプロセスカラーと異なる色版があるときにも、その色版に対する設定に基づいた適切なラスタデータを、容易に生成することができる。
【０１４７】
なお、以上説明した本実施の形態は、本発明の構成を限定するもものではない。例えば、本実施の形態では、ジョブ単位で、プロセスカラーと異なる色版を含むＮ色印刷シミュレーションを行うように説明したが、複数ページ分の画像データ又は描画命令があるときに、ページ単位で色分けするようにしても良い。
【０１４８】
また、本実施の形態では、クライアント端末１４から印刷ジョブとしてプリントサーバ１２に入力された画像データ又は描画命令に対する処理を説明したが、本発明は、これに限るものではなく、プリントサーバ１２や中間サーバ等で、プロセスカラーと異なる色版によって形成されるオブジェクトなどを含むＮ色印刷用データ又はＮ色印刷シミュレーション用のデータの生成を行うものであっても良い。
【０１４９】
さらに、本実施の形態では、ネットワーク１０のプリントサーバ１２に本発明を適用して説明したが、本発明はこれに限るものではなく、ネットワークに接続されている任意の構成の画像処理装置に適用することができる。
【図面の簡単な説明】
【０１５０】
【図１】本実施の形態に適用したプリントサーバとクライアント端末の概略構成を示す要部のブロック図である。
【図２】Ｎ色印刷シミュレーションの設定に用いるユーザインターフェイスの一例を示す設定ダイアログの概略図である。
【図３】コンポジット出力に対する色置換の概略を示す流れ図である。
【図４】ＣＭＹＫ値変換の概略を示す流れ図である。
【図５】分版出力を行うときのPostScript形式の記述の一例を示す概略図である。
【図６】分版出力に対する色置換の概略を示す流れ図である。
【図７】分版出力の処理の流れを示す概略図である。
【符号の説明】
【０１５１】
１０    プリントネットワーク
１２    プリントサーバ（画像処理装置）
１４    クライアント端末（画像処理端末）
１８    プリンタ
２８    画像処理部（画像処理手段、生成手段、色補正手段）
３０    ＨＤＤ（記憶手段）
３２    アプリケーション
３４    プリンタドライバ
３８    色置換処理部（色置換手段）
４０    メモリ
４０Ａ    ＣＭＹＫ出力用領域
４０Ｂ    ＣＭＹＫ色補正用領域
４２    特色版抽出部（抽出手段）
４４    設定ダイアログ
【図１】
2005223695.tif 000005
【図２】
2005223695.tif 000006
【図３】
2005223695.tif 000007
【図４】
2005223695.tif 000008
【図５】
2005223695.tif 000009
【図６】
2005223695.tif 000010
【図７】
2005223695.tif 000011